【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
ディスプレイの固有の画素密度に基づいて、ウィンドウ内にグラフィカル・コンテンツを表示するための最小ドット・パー・インチ（ＤＰＩ）設定を決定することと、
第１ウィンドウの横寸法に適合させるために、前記最小ＤＰＩ設定に基づいて、前記第１ウィンドウ内に表示するためのそれぞれのグラフィカル・コンテンツをスケーリングすることと、
第２ウィンドウの横寸法に適合させるために、前記最小ＤＰＩ設定に基づいて、前記第２ウィンドウ内に表示するためのそれぞれのグラフィカル・コンテンツをスケーリングすることと、
を含む、コンピュータで実行される、方法。
【請求項２】
前記第１ウィンドウ及び前記第２ウィンドウは、前記ディスプレイの全画面を占有する、請求項１に記載の方法。
【請求項３】
前記第１ウィンドウ及び前記第２ウィンドウは、境界線を共有する、請求項１に記載の方法。
【請求項４】
前記第１ウィンドウ及び前記第２ウィンドウ内に表示するためのそれぞれのグラフィカル・コンテンツをスケーリングすることは、共有された前記境界線を移動させるための入力を受信したことに応じて行われる、請求項３に記載の方法。
【請求項５】
前記第１ウィンドウ及び前記第２ウィンドウ内に表示するためのそれぞれのグラフィカル・コンテンツをスケーリングすることは、単一コマンドの入力を受信したことに応じて同時に行われる、請求項４に記載の方法。
【請求項６】
前記第１ウィンドウ及び前記第２ウィンドウ内に表示するためのそれぞれのグラフィカル・コンテンツをスケーリングすることは、前記第１及び第２ウィンドウのそれぞれで閲覧可能なコンテンツを最大化する、請求項１に記載の方法。
【請求項７】
前記第１ウィンドウは、前記第２ウィンドウに対して横方向に隣接するウィンドウとして表示される、請求項１に記載の方法。
【請求項８】
前記グラフィカル・コンテンツは、１つ以上の拡大縮小可能フォントを含む、請求項１に記載の方法。
【請求項９】
前記ディスプレイの前記固有の画素密度は、ピクセル・パー・インチ（ＰＰＩ）で測定される、請求項１に記載の方法。
【請求項１０】
前記最小ＤＰＩ設定が、それぞれのウィンドウに含まれるフォントの判読しやすさを提供するように構成された設定を含む、請求項１に記載の方法。
【請求項１１】
前記最小ＤＰＩ設定がユーザの視覚に基づいて構成される、請求項１０に記載の方法。
【請求項１２】
前記第１ウィンドウ内に表示するためのそれぞれのグラフィカル・コンテンツをスケーリングすることと、前記第２ウィンドウ内に表示するためのそれぞれのグラフィカル・コンテンツをスケーリングすることが、異なるＤＰＩに応じて行われる、請求項１に記載の方法。
【請求項１３】
前記第１ウィンドウ内に表示するためのそれぞれのグラフィカル・コンテンツをスケーリングすることが、前記第１ウィンドウの前記横寸法及び縦寸法に適合させるために、前記それぞれのグラフィカル・コンテンツの全体をスケーリングする、請求項１に記載の方法。
【請求項１４】
前記それぞれのグラフィカル・コンテンツの全体は、それぞれのウェブ・ページ又は文書の内容全体を含む、請求項１３に記載の方法。
【請求項１５】
第１ウィンドウの横サイズを変更するための入力を受信することであって、前記第１ウィンドウが表示のためのそれぞれのグラフィカル・コンテンツを含むことと、
前記受信した入力に応じて前記第１ウィンドウの横サイズを調整することと、
前記第１ウィンドウの調整した横サイズに適合させるために、前記第１ウィンドウ内の前記それぞれのグラフィカル・コンテンツをスケーリングすることと、
を含む、コンピュータで実行される、方法。
【請求項１６】
表示のために前記第１ウィンドウ内に前記スケーリングされたそれぞれのグラフィカル・コンテンツを提供することを更に含む、請求項１５に記載の方法。
【請求項１７】
前記受信した入力に応じて第２ウィンドウの横サイズを調整することであって、前記第２ウィンドウが表示のためのそれぞれのグラフィカル・コンテンツを含むことと、
前記第２ウィンドウの調整した横サイズに適合させるために、前記第２ウィンドウ内の前記それぞれのグラフィカル・コンテンツをスケーリングすることと、
表示のために前記第２ウィンドウ内に前記スケーリングされたそれぞれのグラフィカル・コンテンツを提供することと、
を更に含む、請求項１６に記載の方法。
【請求項１８】
前記第１ウィンドウの前記スケーリングされたそれぞれのグラフィカル・コンテンツは、前記第２ウィンドウの前記スケーリングされたそれぞれのグラフィカル・コンテンツより低いＤＰＩで表示される、請求項１７に記載の方法。
【請求項１９】
前記第１及び第２ウィンドウの前記スケーリングされたそれぞれのグラフィカル・コンテンツは、ディスプレイの固有の画素密度に基づいて最小ドット・パー・インチ（ＤＰＩ）設定に応じてスケーリングされる、請求項１７に記載の方法。
【請求項２０】
前記受信した入力は、前記第１ウィンドウの横サイズを増加させるための入力を含む、請求項１５に記載の方法。
【請求項２１】
前記受信した入力は、第２ウィンドウの横サイズを減少させるための入力を更に含む、請求項２０に記載の方法。
【請求項２２】
前記第１ウィンドウ及び前記第２ウィンドウがディスプレイの全画面を占有する、請求項１７に記載の方法。
【請求項２３】
前記第１ウィンドウが前記第２ウィンドウに対して横方向に隣接するウィンドウとして表示される、請求項１７に記載の方法。
【請求項２４】
メモリと、
１つ以上のプロセッサと、
前記メモリ内に格納され、前記１つ以上のプロセッサによる実行のために構成された１つ以上のモジュールと、を含むシステムであって、
前記モジュールは、
ディスプレイの固有の画素密度に基づいてウィンドウ内にグラフィカル・コンテンツを表示するための最小ドット・パー・インチ（ＤＰＩ）設定を決定し、第１ウィンドウの横寸法に適合させるために、前記最小ＤＰＩ設定に基づいて前記第１ウィンドウ内に表示するためのそれぞれのグラフィカル・コンテンツをスケーリングし、第２ウィンドウの横寸法に適合させるために、前記最小ＤＰＩ設定に基づいて前記第２ウィンドウ内に表示するためのそれぞれのグラフィカル・コンテンツをスケーリングするように構成されたウィンドウ作成モジュールと、
表示のために前記第１ウィンドウ及び前記第２ウィンドウ内に前記スケーリングされたそれぞれのグラフィカル・コンテンツを提供するように構成されたグラフィカル・ユーザ・インターフェース（ＧＵＩ）表示モジュールと、
を含むシステム。
【請求項２５】
前記ウィンドウ作成モジュールは、
第１ウィンドウの横サイズを変更するための入力を受信し、前記第１ウィンドウが表示のためのそれぞれのグラフィカル・コンテンツを含み、
前記受信した入力に応じて前記第１ウィンドウの前記横サイズを調整し、
前記第１ウィンドウの前記調整した横サイズに適合させ、前記第１ウィンドウ内の前記それぞれのグラフィカル・コンテンツをスケーリングさせるために、更に構成される、請求項２４に記載のシステム。
【請求項２６】
前記ウィンドウ作成モジュールは、
前記受信した入力に応じて第２ウィンドウの横サイズを調整し、前記第２ウィンドウが表示のためのそれぞれのグラフィカル・コンテンツを含み、
前記第２ウィンドウの前記調整した横サイズに適合させ、前記第２ウィンドウ内の前記それぞれのグラフィカル・コンテンツをスケーリングさせるために、更に構成される、請求項２５に記載のシステム。
【請求項２７】
前記ＧＵＩ表示モジュールは、
表示のために前記第１ウィンドウ内に前記スケーリングされたそれぞれのグラフィカルを、前記第２ウィンドウ内に前記スケーリングされたそれぞれのグラフィカル・コンテンツを提供させるために更に構成される、請求項２６に記載のシステム。
【請求項２８】
格納された命令を含む、不揮発性の機械読取可能媒体であって、
機械によって前記命令が実行されたときに、
ディスプレイの固有の画素密度に基づいてウィンドウ内にグラフィカル・コンテンツを表示するための最小ドット・パー・インチ（ＤＰＩ）設定を決定することと、
第１ウィンドウの横寸法に適合させるために、前記最小ＤＰＩ設定に基づいて前記第１ウィンドウ内に表示するためのそれぞれのグラフィカル・コンテンツをスケーリングすることと、
第２ウィンドウの横寸法に適合させるために、前記最小ＤＰＩ設定に基づいて前記第２ウィンドウ内に表示するためのそれぞれのグラフィカル・コンテンツをスケーリングすることと、
を含む動作を前記機械に実行させる、不揮発性の機械読取可能媒体。